(57)【特許請求の範囲】
【請求項１】
コンピュータ装置とＵＳＢケーブルを介して接続され両者間で所要の情報が双方向に通信可能とされると共に、前記ＵＳＢケーブルを介して前記コンピュータ装置から電流供給される構成とされた楽器用アンプ装置において、
自装置外部からのアナログ楽音信号をデジタル信号に変換するアナログデジタル変換器と、
与えられたデジタル音楽信号をアナログ信号に変換するデジタルアナログ変換器と、前記アナログデジタル変換器からのデジタル信号をＵＳＢデータ信号に変換して前記コンピュータ装置に送ると共に、前記コンピュータ装置からのＵＳＢ信号をデジタル音楽信号に変換して前記デジタルアナログ変換器に供給するＵＳＢコントローラ部と、
前記デジタルアナログ変換器からのアナログ信号を増幅して放音させるアンプと、
前記供給電流を、前記アナログデジタル変換器、前記デジタルアナログ変換器および前記アンプに供給するための開閉制御可能なスイッチとを備え、
前記ＵＳＢコントローラ部は、前記スイッチの開閉制御を行う制御部を含んで成り、この制御部は、前記コンピュータ装置に対して、自装置に対して所定値以上の電流供給を依頼する旨の依頼命令を発行し、これに対する前記コンピュータ装置からの許可命令を受け取るまでは前記スイッチを開状態とする一方、前記許可命令を受け取った場合には前記スイッチを閉状態とすることを特徴とする楽器用アンプ装置。
【請求項２】
コンピュータ装置とＵＳＢケーブルを介して接続され両者間で所要の情報が双方向に通信可能とされると共に、前記ＵＳＢケーブルを介して前記コンピュータ装置から電流供給される構成とされた楽器用アンプ装置において、
与えられたデジタル音楽信号をアナログ信号に変換するデジタルアナログ変換器と、前記コンピュータ装置からのＵＳＢ信号をデジタル音楽信号に変換して前記デジタルアナログ変換器に供給するＵＳＢコントローラ部と、
前記デジタルアナログ変換器からのアナログ信号を増幅して放音させるアンプと、
前記供給電流を、前記デジタルアナログ変換器および前記アンプに供給するための開閉制御可能なスイッチとを備え、
前記ＵＳＢコントローラ部は、前記スイッチの開閉制御を行う制御部を含んで成り、この制御部は、前記コンピュータ装置に対して、自装置に対して所定値以上の電流供給を依頼する旨の依頼命令を発行し、これに対する前記コンピュータ装置からの許可命令を受け取るまでは前記スイッチを開状態とする一方、前記許可命令を受け取った場合には前記スイッチを閉状態とすることを特徴とする楽器用アンプ装置。
【発明の詳細な説明】
【技術分野】
【０００１】
本発明は、パーソナルコンピュータ（ＰＣ）等のコンピュータ装置とＵＳＢケーブルを介して接続され両者間で所要の情報が双方向に通信可能とされると共に、このＵＳＢケーブルを介してコンピュータ装置から電流供給される楽器用アンプ装置に関する。
【背景技術】
【０００２】
現在、パーソナルコンピュータと各種の電子機器が接続されて両者間で所要の情報を双方向に通信しながら、電子機器に電流供給を行う様々な製品が開発されている。例えば、パーソナルコンピュータとデジタルカメラとをＵＳＢケーブルを介して接続し所要の情報を双方向で授受すると共に、ＵＳＢケーブルを介して供給される電流をデジタルカメラ内に内蔵されたレギュレータの切換え制御によって効率良く使用するものが提案されている（例えば、特許文献１参照）。この装置はスイッチを少なくとも２個以上の複数個設けたり、そのための判定手段や制御手段を設けたりして装置構成が大掛かりなものとなっている。ところで、ギターアンプ等の楽器用アンプ装置においても、ＵＳＢケーブルを介して、当該アンプ装置内の所要の構成部品に対して電流供給がされている。図３はこの様子を示している。ＰＣ（パーソナルコンピュータ）１０は、ドライバ１１が内蔵されていて不図示のＣＰＵがこれを実行して、ＵＳＢケーブル１５を介して接続されているギターアンプ装置２０との間で所要の情報を双方向で通信したり、ＰＣ１０がギターアンプ装置２０に対して例えば１００（ｍＡ）の電流供給を行っている。そして、ＵＳＢコントローラ部１００は、端子４１０を介して入力されＡ／Ｄ変換器２００によってアナログデジタル変換されたギター楽音信号をＵＳＢ形式信号に変換してＰＣ１０側に送信したり、ＰＣ１０側からのＵＳＢ信号をデジタル信号に変換してＤ／Ａ変換器２５０に供給したりする。このＤ／Ａ変換器２５０によってデジタルアナログ変換されたアナログ信号はアンプ３００によって増幅されてスピーカー４００を介して放音される。
【０００３】
【特許文献１】特開２００３−２８０７７１号公報（第３−６頁、第２図）
【発明の開示】
【発明が解決しようとする課題】
【０００４】
そして、このギターアンプ装置２０においては、ＵＳＢケーブル１５を介して、電源ライン１８０によってＡ／Ｄ変換器２００、Ｄ／Ａ変換器２５０、アンプ３００に電流供給が行われている。このＵＳＢケーブル１５は１００（ｍＡ）未満の電流を使用する場合には問題がないが、この１００（ｍＡ）を超える電流を一斉に消費する場合にはＰＣ１０側が正しく動作しないという問題があった。特に、アンプ３００での供給電流消費は一般的に大きなものとなっているため、アンプ３００がＰＣ１０側から１００（ｍＡ）以上の電流消費を許可されるまでは、アンプ３００への電源供給制御に対して何らかの措置を講ずる必要がある。つまり、ＵＳＢケーブル１５を用いて、ＰＣ１０側に対して、或る規定電流値以上（例えば１００（ｍＡ）以上）の電流を供給させるためには、それなりの工夫を施さなければならない。
【０００５】
そこで、本発明は、かかる従来の課題を解決するためになされたもので、ＵＳＢケーブルを用いて、或る規定電流値以上の電流を消費する場合であっても、コンピュータ装置側の動作に支障をきたさないようにした楽器用アンプ装置を提供することを目的とする。
【課題を解決するための手段】
【０００６】
上記目的を達成するために、本発明は、コンピュータ装置とＵＳＢケーブルを介して接続され両者間で所要の情報が双方向に通信可能とされると共に、前記ＵＳＢケーブルを介して前記コンピュータ装置から電流供給される構成とされた楽器用アンプ装置において、
自装置外部からのアナログ楽音信号をデジタル信号に変換するアナログデジタル変換器と、与えられたデジタル音楽信号をアナログ信号に変換するデジタルアナログ変換器と、前記アナログデジタル変換器からのデジタル信号をＵＳＢデータ信号に変換して前記コンピュータ装置に送ると共に、前記コンピュータ装置からのＵＳＢ信号をデジタル音楽信号に変換して前記デジタルアナログ変換器に供給するＵＳＢコントローラ部と、前記デジタルアナログ変換器からのアナログ信号を増幅して放音させるアンプと、前記供給電流を、前記アナログデジタル変換器、前記デジタルアナログ変換器および前記アンプに供給するための開閉制御可能なスイッチとを備え、前記ＵＳＢコントローラ部は、前記スイッチの開閉制御を行う制御部を含んで成り、この制御部は、前記コンピュータ装置に対して、自装置に対して所定値以上の電流供給を依頼する旨の依頼命令を発行し、これに対する前記コンピュータ装置からの許可命令を受け取るまでは前記スイッチを開状態とする一方、前記許可命令を受け取った場合には前記スイッチを閉状態とすることを特徴とするようにした。
【０００７】
また、本発明の他の態様は、コンピュータ装置とＵＳＢケーブルを介して接続され両者間で所要の情報が双方向に通信可能とされると共に、前記ＵＳＢケーブルを介して前記コンピュータ装置から電流供給される構成とされた楽器用アンプ装置において、
与えられたデジタル音楽信号をアナログ信号に変換するデジタルアナログ変換器と、前記コンピュータ装置からのＵＳＢ信号をデジタル音楽信号に変換して前記デジタルアナログ変換器に供給するＵＳＢコントローラ部と、前記デジタルアナログ変換器からのアナログ信号を増幅して放音させるアンプと、前記供給電流を、前記デジタルアナログ変換器および前記アンプに供給するための開閉制御可能なスイッチとを備え、前記ＵＳＢコントローラ部は、前記スイッチの開閉制御を行う制御部を含んで成り、この制御部は、前記コンピュータ装置に対して、自装置に対して所定値以上の電流供給を依頼する旨の依頼命令を発行し、これに対する前記コンピュータ装置からの許可命令を受け取るまでは前記スイッチを開状態とする一方、前記許可命令を受け取った場合には前記スイッチを閉状態とすることを特徴とする。
【発明の効果】
【０００８】
本発明によれば、ＵＳＢケーブルを用いて、或る規定電流値以上の電流を消費する場合であっても、コンピュータ装置側の動作に支障をきたさないようにすることができるという効果が得られる。
【発明を実施するための最良の形態】
【０００９】
以下、本発明を実施するための最良の形態を図面を参照しつつ説明する。
【００１０】
（構成）
図１は、ＰＣ（パーソナルコンピュータ）１と楽器用アンプ装置２とを有し、この両者をＵＳＢケーブル１５で接続した音楽システム１０００の構成図である。ＵＳＢケーブル１５のデータ信号線を介してＰＣ１と楽器用アンプ装置２との間で所要の情報が双方向に通信可能とされると共に、ＵＳＢケーブル１５の電源線を介してＰＣ１から楽器用アンプ装置２に対して電流供給が行われるように構成されている。そして、ＰＣ１には、従来のプログラムに対して本発明の主要なプログラムが追加されたドライバ３が内蔵され、ＰＣ１に内蔵された不図示のＣＰＵがこのドライバ３を実行して所要の動作を行うことが可能に構成されている。
【００１１】
一方、楽器用アンプ装置２は、スイッチ１７を開閉制御する制御部１４を含んで成るＵＳＢコントローラ部１０と、端子４１を介して外部から入力されるアナログの楽音信号（例えばギター楽音信号）をデジタル信号に変換するＡ／Ｄ変換器２０と、ＵＳＢコントローラ部１０から与えられたデジタル音楽信号をアナログ信号に変換するＤ／Ａ変換器２５と、このＤ／Ａ変換器２５からのアナログ信号を増幅するアンプ３０と、このアンプ３０によって増幅された信号を放音するスピーカー４０とを備えている。そして、ＵＳＢケーブル１５の電源線には、電源ライン１８が接続されこれがスイッチ１７の一方（図面左側）に接続されている。そして、スイッチ１７が開状態の場合には、Ａ／Ｄ変換器２０、Ｄ／Ａ変換器２５およびアンプ３０には電流供給はされない。一方、スイッチ１７が閉状態となった場合には、スイッチ１７の他方（図面右側）に接続される電源ライン１８を介してＡ／Ｄ変換器２０、Ｄ／Ａ変換器２５およびアンプ３０に電流供給がされるようになっている。なお、図１においては、理解容易のためにＵＳＢケーブル１５をデータ信号線と電源線とから成るように模式的に図示しているが厳密にはグランド線等の他の線も存在する。
【００１２】
（作用）
一例として、ＵＳＢケーブル１５を使用すると１００（ｍＡ）未満の電流はＰＣ１側の許可を得ることなく通常に供給され消費することができるが、１００（ｍＡ）以上の電流を使用する際にはＰＣ１側からの許可を得なければならない場合であって、Ａ／Ｄ変換器２０、Ｄ／Ａ変換器２５およびアンプ３０の使用電流が１００（ｍＡ）以上の場合を想定して説明する。
【００１３】
まず、初期時にはＵＳＢコントローラ部１０の制御部１４はスイッチ１７を閉状態としている。このため、Ａ／Ｄ変換器２０、Ｄ／Ａ変換器２５およびアンプ３０には電流供給がされない。そこで、不図示の操作子の操作等を行うと、ＵＳＢコントローラー部１０の制御部１４は、自装置２に対して１００（ｍＡ）以上の電流供給を依頼する旨の依頼命令をＰＣ１に対して発行する。この依頼命令を受け取ると、ＰＣ１はこの依頼命令を認識し、例えば５００（ｍＡ）での電流の使用許可命令をＵＳＢコントローラ部１０側に対して発行する。この許可命令を受け取った制御部１４は、スイッチ１７を閉状態とする。すると、Ａ／Ｄ変換器２０、Ｄ／Ａ変換器２５およびアンプ３０に５００（ｍＡ）の電流供給が開始される。このようにして、ドライバ３の工夫によって、従来装置（図３参照）に対して１個のスイッチ１７を追加するだけで良く、ＵＳＢケーブル１５を用いて１００（ｍＡ）以上の電流を消費する場合であっても、ＰＣ１側の動作に支障をきたさないようにした楽器用アンプ装置２を実現することが可能となる。
【００１４】
そして、スイッチ１７が閉状態とされた場合には、ＵＳＢコントローラ部１０は、端子４１を介して入力されＡ／Ｄ変換器２０によってアナログデジタル変換されたギター楽音信号をＵＳＢ形式信号に変換してＰＣ１側に供給したり、ＰＣ１側からのＵＳＢ信号をデジタル信号に変換してＤ／Ａ変換器２５に供給したりする。このＤ／Ａ変換器２５によってデジタルアナログ変換されたアナログ信号はスピーカー３０を介して放音されることになる。
【００１５】
（他の構成例）
図２はＰＣ（パーソナルコンピュータ）１と他の装置構成例である楽器用アンプ装置４とを有し、この両者をＵＳＢケーブル１５で接続した音楽システム１００１の構成図である。図１と比較して分かるように、この装置構成例では、端子４１、Ａ／Ｄ変換器２０を備えていない。即ち、図２の楽器用アンプ装置４にあっては、ＵＳＢコントローラ部１０からのデジタル信号をＤ／Ａ変換器２５がデジタルアナログ変換し、これをアンプ３０が増幅してスピーカー４０から放音させるといったアンプ機能のみを有するものである。
【００１６】
この構成においても、消費電力の大きなアンプ３０が設けられているため、上述したようにして、制御部１４がスイッチ１７の開閉制御を行うことによって、Ｄ／Ａ変換器２５およびアンプ３０に対して５００（ｍＡ）の電流供給を行うことができる。しかもこの装置においても、従来装置に対して１個のスイッチを追加するだけで、ドライバ３の工夫によって適切な消費電力管理を行うことが可能となる。
【００１７】
なお、以上の実施形態では一例としてギターアンプを採用して説明してきたが、本装置の適用可能な楽器はギターに限られない。また、ＰＣ１が、ＵＳＢコントローラ部１０からデータ信号線を介して受信した楽音信号に対して所要の加工を施す等の処理を行い得る機能を有するように構成しても良い。  
【産業上の利用可能性】
【００１８】
以上説明してきたように、本発明の楽器用アンプ装置は音楽分野で利用可能である。
【図面の簡単な説明】
【００１９】
【図１】楽器用アンプ装置２を含む音楽システム１０００の構成図である。
【図２】楽器用アンプ装置３を含む音楽システム１００１の構成図である。
【図３】従来技術の説明図である。
【符号の説明】
【００２０】
１  ＰＣ（パーソナルコンピュータ）
２  楽器用アンプ装置
３  ドライバ
４  楽器用アンプ装置
１０  ＵＳＢコントローラ部
１４  制御部
１５  ＵＳＢケーブル
１７  スイッチ  
２０  Ａ／Ｄ変換器
２５  Ｄ／Ａ変換器
３０  アンプ
４０  スピーカー
４１  端子
１０００  音楽システム
１００１  音楽システム
【図１】
0005097943.tif 000002
【図２】
0005097943.tif 000003
【図３】
0005097943.tif 000004